(57)【特許請求の範囲】
【請求項１】
ガラスで形成されたスイッチング素子基板とガラスで形成されたカラーフィルタ基板とを、前記スイッチング素子基板または前記カラーフィルタ基板の上に形成されたシール材を介して貼り合わせる工程と、
前記貼り合わせ工程の後に、前記シール材の一部を横切る切断線で前記スイッチング素子基板及びカラーフィルタ基板を切断する工程と、
前記切断工程の後に液晶を注入する工程と、からなる液晶パネルの製造方法であって、
前記切断線で横切られる部分のシール材の幅は、当該横切られる部分の両隣の部分よりも細く、
前記切断工程において、当該シール材の細い部分を切断することを特徴とする液晶パネルの製造方法。
【請求項２】
シール材の形状は、液晶表示面に対応する所定の領域を囲む様に形成され、一部開口させた部分を注入口としたパターンであって、前記開口させた部分は液晶パネルの外縁方向に延出し、
前記延出した部分のうち、先端部分を除く前記延出した部分の一部分は、前記シール材の他の部分よりも細く、
当該シール材の細い部分を切断することを特徴とする請求項１に記載の液晶パネルの製造方法。
【発明の詳細な説明】
【技術分野】
【０００１】
この発明は、液晶表示装置に係り、特に、基板となるガラスを薄型化して可撓性をもたせた液晶パネルの製造方法に関するものである。
【背景技術】
【０００２】
液晶表示装置については従来から薄型軽量化の要求があった。さらに、近年ではデザイン面で表示面を凹面や凸面の曲面にする要求がでてきた。例えば、自動車等の表示器として搭載される場合、限られた表示面に多くの情報を効率的かつ視認性良く表示することが求められる。また、搭載機器や設置場所のデザインにフィットすることが求められるようになった。このような要求に対し、表示面を湾曲形状にして筐体の外形と一体化した液晶表示装置の研究・開発がなされている。そして、表示面を凹面や凸面の曲面にするため、液晶パネルを湾曲形状に変形加工した液晶パネル（以後、湾曲型液晶パネルと呼ぶ。）などが開発されてきている。
【０００３】
液晶パネルの製造は、二枚の貼り合わされたマザーガラス基板から所定の大きさの個片サイズへの切り出すことにより製造される。切り出しは、切断の起点となる切断傷を形成した後に、応力を印加することにより分断する方法や、形成された切断傷に沿ってレーザー光を照射して切断する方法が使われる。これら何れの切断方法においても、基板の切断面には微小な傷やクラックなどのダメージが入ることがあり、この様な基板端面に残存する傷やクラックは、その後に加わった応力によって成長することがある。さらに、湾曲型液晶パネルでは、湾曲形状への加工時や、製品としての使用時において、ガラスに応力が生じ易い。
【０００４】
そこで、基板端面の強度を向上する方法が幾つか提案されている。例えば、特許文献１では、湾曲により変形を生じている基板端面の切断ダメージを溶融或いは削り除去することにより基板端面を強化する方法が提案されている。
【先行技術文献】
【特許文献】
【０００５】
【特許文献１】特開２０１０−０６６４６２号公報
【発明の概要】
【発明が解決しようとする課題】
【０００６】
しかしながら、従来のガラス基板端面の切断ダメージを溶融或いは削り除去することによる端面強化法では、切断工程の後に端面強化のための工程が新たに追加されることとなるため、パネル製造に要する時間が長くなり、コストもかかるものであった。
【０００７】
また、液晶注入口部分のガラス基板端面を溶融或いは削り除去すると、注入口が塞がって液晶注入不良を引き起こしたり、異物がパネル内部に入り込んで輝点などの表示不良を引き起こしたりする可能性がある。
【０００８】
そこで、本発明は、上記のような問題点を解決するためになされたものであり、液晶注入口部分での微小な傷やクラックが生じ難い液晶パネルの製造方法を提供することを目的としている。
【課題を解決するための手段】
【０００９】
この発明に係る液晶パネルの製造方法は、ガラスで形成されたスイッチング素子基板とガラスで形成されたカラーフィルタ基板とを、スイッチング素子基板またはカラーフィルタ基板の上に形成されたシール材を介して貼り合わせる工程と、貼り合わせ工程の後に、シール材の一部を横切る切断線でスイッチング素子基板及びカラーフィルタ基板を切断する工程と、切断工程の後に液晶を注入する工程と、からなる液晶パネルの製造方法であって、切断線で横切られる部分のシール材の幅は、当該横切られる部分の両隣の部分よりも細く、切断工程において、当該シール材の細い部分を切断することを特徴とするものである。
【発明の効果】
【００１０】
この発明に係る液晶パネルの製造方法を上記のように構成したことにより、液晶注入口部分での微小な傷やクラックが液晶パネルに生じ難くなる。その結果、微小な傷やクラックを起点として発生する液晶パネルの破損の防止に効果がある。
【図面の簡単な説明】
【００１１】
【図１】本発明の実施の形態１に係わる液晶表示装置の平面図である。
【図２】本発明の実施の形態１に係わる液晶表示装置の断面図である。
【図３】本発明の実施の形態１に係わる液晶パネルの製造方法の模式図である。
【図４】本発明の実施の形態１に係わる液晶パネルのシール材パターンの平面図である。
【図５】本発明の実施の形態１に係わる液晶パネルのシール材パターンの拡大模式図である。
【図６】本発明の実施の形態１に係わる液晶パネルのシール材パターンの切断部の幅と切断不良率の関係を示す図である。
【図７】本発明の実施の形態１に係わる液晶パネルのシール材パターンの切断部とシール先端部の形状を示す模式図である。
【図８】本発明の実施の形態１に係わる液晶パネルのシール材パターンの切断部の幅とシール印刷カスレ不良発生率の関係を示す図である。
【発明を実施するための形態】
【００１２】
実施の形態１．
はじめに、本発明の液晶表示装置の全体構成について、図面を参照しながら説明する。図１は、この発明の実施の形態１に係る液晶表示装置の概略を示した平面図である。図２は、図１中の一点鎖線で示した切断箇所を矢線II方向からみた断面図である。なお、図は模式的なものであり、示された構成要素の正確な大きさなどを反映するものではない。また、表示画素パターンや膜構成の図示も省略している。特記する場合を除いて、液晶表示装置の全体構成は全ての実施の形態において共通である。また、同一の符号を付したものは、同一またはこれに相当するものであり、このことは明細書の全文において共通することである。
【００１３】
本形態では、一例としてＴＦＴ（Ｔｈｉｎ Ｆｉｌｍ Ｔｒａｎｓｉｓｔｏｒ）をスイッチング素子に用いて動作される液晶表示装置について説明する。図１を参照して、本形態に係わる液晶表示装置は、大別して、液晶パネル１、液晶パネル１に駆動信号を送る駆動用ＩＣ（Ｉｎｔｅｇｒａｔｅｄ Ｃｉｒｃｕｉｔ）などを装備した制御基板２、および光源となるバックライトユニット（図示せず）を備えている。さらに、これらの部品は、液晶表示の表示面の部分が可視となるような筐体（図示せず）の中に収納されて液晶表示装置を構成している。
【００１４】
また、液晶パネル１の上に配設された端子１１と制御基板２とは、ＦＦＣ（Ｆｌｅｘｉｂｌｅ Ｆｌａｔ Ｃａｂｌｅ）を介して電気的に接続されている。なお、図示されていないが、バックライトユニットは、液晶パネル１の表示面の反対側でスイッチング素子基板１０に対向して配置されている。
【００１５】
つぎに、液晶パネル１の構成について説明する。図１および図２を参照して、液晶パネル１は、スイッチング素子が配置されているスイッチング素子基板１０と、スイッチング素子基板１０に対向してシール材３０により貼り合わされるカラーフィルタ基板２０とから構成されている。また、液晶パネル１は、カラーフィルタ基板２０側が凸となる方向に所定の曲率で湾曲した外観となるように構成されている。
【００１６】
なお、シール材３０は、スイッチング素子基板１０とカラーフィルタ基板２０との間に挟まれているので、図１においてはカラーフィルタ基板２０を透視して図示している。図１においては破線でシール材３０を示した。
【００１７】
さらに、液晶パネル１の構造について詳細に説明する。
シール材３０は、樹脂からなるシール材であって、スイッチング素子基板１０とカラーフィルタ基板２０とで構成される液晶表示の表示面に対応する領域を囲う様なパターンに形成されている。そして、このシール材３０により囲まれ、かつ、スイッチング素子基板１０とカラーフィルタ基板２０との間に形成される隙間には、液晶が注入されている。また、液晶を注入するための注入口がシール材３０のパターンとして形成されている。さらに、図示を省略しているが注入口を封止剤によって封止している。
【００１８】
スイッチング素子基板１０は、図示していないが、透明基板であるガラス基板の一方の面において、表示面に対応する領域に液晶を配向させる配向膜、配向膜の下部に設けられ液晶を駆動する電圧を印加する画素電極、画素電極に電圧を供給するＴＦＴなどのスイッチング素子、スイッチング素子を覆う絶縁膜、スイッチング素子に信号を供給する配線であるゲート配線及びソース配線などを有している。また、表示面に対応する領域外にはスイッチング素子に供給される信号を外部から受け入れる端子、端子から入力された信号を対向電極へ伝達するためのトランスファ電極などを有している。更に、トランスファ電極には端子から入力された信号が伝達される。また、ガラス基板の他方の面には偏光板を有している。
【００１９】
一方、カラーフィルタ基板２０は、図示していないが、透明基板であるガラス基板の一方の面に液晶を配向させる配向膜、配向膜の下部に配置されたスイッチング素子基板上の画素電極との間に電界を生じさせて液晶を駆動する共通電極、共通電極下部に設けられるカラーフィルタ及び遮光層などを有している。また、ガラス基板の他方の面には偏光板を有している。更に、トランスファ電極と共通電極は、トランスファ材により電気的に接続されており、端子から入力された信号が共通電極に伝達される。
【００２０】
また、スイッチング素子基板１０とカラーフィルタ基板２０とは、両基板間の距離を一定の距離に保持するスペーサ（図示せず）を介して貼り合わされている。スペーサとしては、基板上に散布された粒状のスペーサを用いても良いし、何れか一方の基板上に樹脂をパターニングして形成された柱状のスペーサを用いても良い。また、スペーサにより、シール材３０の厚みも一定に保持される。
【００２１】
つぎに、液晶パネル１の動作について説明する。
例えば、制御基板２から電気信号が入力されると、画素電極及び共通電極に駆動電圧が加わり、駆動電圧に合わせて液晶の分子の方向が変わる。そして、バックライトユニットの発する光が、スイッチング素子基板１０、液晶及びカラーフィルタ基板２０を介して観察者側に透過或いは遮断されることにより、液晶パネルの表示面に映像などが表示される。
【００２２】
なお、上述の液晶パネルは、一例であり他の構成でも良い。例えば、液晶パネル１の動作モードは、ＴＮ（Ｔｗｉｓｔｅｄ Ｎｅｍａｔｉｃ）モードや、ＳＴＮ（Ｓｕｐｅｒ Ｔｗｉｓｔｅｄ Ｎｅｍａｔｉｃ）モード、ＶＡ（Ｖｅｒｔｉｃａｌｌｙ Ａｌｉｇｎｅｄ）モード、強誘電性液晶モードなどでもよい。また、駆動方法は、単純マトリックスやアクティブマトリックスなどでもよい。さらに、カラーフィルタ基板２０に設けた共通電極をスイッチング素子基板側に設置して、画素電極との間に横方向に液晶に対して電界をかける横電界方式を用いたＩＰＳ（Ｉｎ‐Ｐｌａｎｅ Ｓｗｉｔｈｃｉｎｇ）モードの液晶パネルでも良い。また、通常の透過型の液晶パネルを用いて説明を行ったが、反射型や、両者を併せ持つ半透過型でも良い。
【００２３】
つぎに、液晶パネル１の製造方法を図３〜図５を参照して説明する。なお、図では液晶パネル４個分の製造方法を例示しているが、これは例示であって、基板の大きさ、液晶パネルのサイズによって数は任意に設計変更できる。さらに、１個の液晶パネルを製造するために、大き目のマザーガラス基板から余剰部分を切り離す場合にも適用可能である。
【００２４】
スイッチング素子基板１０及びカラーフィルタ基板２０の製造方法については一般的な方法を用いるため、簡単に説明する。スイッチング素子基板１０は、ガラス基板の一方の面に、成膜、フォトリソグラフィー法によるパターンニング、エッチングなどのパターン形成工程を繰り返し用いてスイッチング素子や画素電極、端子、トランスファ電極を形成することにより製造される。
【００２５】
なお、トランスファ材については、シール材中に導電性の粒子などを混合することにより代用でき省略することも可能である。また、上述したように駆動用ＩＣを制御基板２に載せた状態で接続したが、直接、端子１１上に配置した構成としても良い。
【００２６】
また、カラーフィルタ基板２０は、同様に、ガラス基板の一方の面にカラーフィルタや共通電極を形成することにより製造される。いずれの基板も少なくとも貼り合わされる前までは、平面基板として製造される。そして、貼り合わされた後に湾曲される。
【００２７】
つぎに、スイッチング素子基板１０とカラーフィルタ基板２０とを貼り合わす組み立て工程について説明する。
【００２８】
まず、基板洗浄工程において、画素電極が形成されているスイッチング素子基板１０を洗浄する。
【００２９】
つぎに、配向膜材料塗布工程において、スイッチング素子基板１０の一方の面に、例えば印刷法により配向膜の材料となるポリイミドからなる有機膜を塗布し、ホットプレートなどにより焼成処理し乾燥させる。
【００３０】
その後、配向膜材料の塗布されたスイッチング素子基板１０に対して配向処理を行い、配向膜を形成する。
【００３１】
また、共通電極が形成されているカラーフィルタ基板２０についても、洗浄、有機膜の塗布、及び配向処理を行うことにより配向膜を形成する。
【００３２】
続いて、シール材３０を形成するシール材塗布工程において、スイッチング素子基板１０或いはカラーフィルタ基板２０の一方にシール材となる樹脂の塗布処理を行う。シール材３０には、例えばエポキシ系接着剤などの熱硬化型樹脂や紫外線硬化型樹脂を用いる。このシール材塗布には、例えばスクリーン印刷を用いる。
【００３３】
スクリーン印刷を用いたシール材塗布工程について、図３を用いて詳細に説明する。図３は、スクリーン印刷によるシール材塗布工程を模式的に示すものである。図３において、処理される基板であるカラーフィルタ基板２０を載せて保持するステージ４０、スクリーン版４１、スクリーン版４１に設けられた開口パターン４２、開口パターン４２を介して基板上にシール材として塗布される樹脂ペースト４３、スクリーン版４１上を走査し樹脂ペースト４３を開口パターン４２よりカラーフィルタ基板２０上に押し出し印刷塗布するスキージ４４が示されている。本実施の形態では、図３における開口パターンの配置からも解るように１枚の基板あたり４枚の液晶パネルを取り出す場合を例示している。
【００３４】
図３を参照して、印刷時においては、ステージ４０はスクリーン版４１とカラーフィルタ基板２０が接触する間際まで近接され、スキージ４４がスクリーン版上を図中に示される矢印と平行な方向に沿って走査される。その結果、樹脂ペースト４３がスクリーン版４１に設けられた開口パターン４２を通過してスクリーン版４１の下部に配置されたカラーフィルタ基板２０の主面に塗布される。そして、この樹脂ペースト４３のパターンがシール材３０となる。
【００３５】
図３は、スクリーン版４１に設けられた４つの開口パターン４２の配置を示しているが、カラーフィルタ基板２０に塗布される樹脂ペースト４３のパターンは、この開口パターン４２の配置に対応したパターン配置となる。なお、図３に示されているのは、４つの樹脂ペースト４３のパターンであるが、これは例示であって、基板のサイズ、パターンの大きさに応じて、４つに限られず多くも少なくもなる。
【００３６】
さらに、樹脂ペースト４３のパターン（以下、シール材３０という）について、詳細に説明を行う。
図４に、カラーフィルタ基板２０に塗布された樹脂ペースト４３のパターンすなわち、シール材３０を示す。図４中の一点鎖線はカラーフィルタ基板２０を分離する際の切断線である。なお、切断線は、切断位置を示すための仮想の線であり、カラーフィルタ基板２０の上に実存する物ではない。また、図３は４つのパターンを示したが、それぞれ同様であるので説明の煩雑さを避けるために、図４ではそのうちの１つパターンについて説明する。
【００３７】
図４を参照して、シール材３０の形状としては、カラーフィルタ基板２０上の液晶表示面に対応する所定の領域を囲む様に四隅に丸みの形成された略矩形状の樹脂のパターンとして形成される。また、シール材３０は完全に閉じた形状ではなく一部開口させた注入口３１が形成される。注入口３１は、端子１１と干渉しないようにするため、スイッチング素子基板１０上の端子１１が配置されない辺の側に配置される。
【００３８】
つぎに、切断線と交差する位置のシール材３０の形状について、模式的に示した図５を用いて説明する。シール材３０のパターンの特徴として、切断線と交差する位置のシール幅が他より細く、かつ、シールの先端部は基板切断線と交差する領域のシール材の幅よりも太く形成されている。切断線と交差する部分のシール幅を細くする理由はつぎのとおりである。この切断線で横切られるシール幅の細い部分を「切断部」と称して以下説明する。
【００３９】
以下の説明では、液晶を注入させるための注入口部分の幅が他の部分の幅よりも細い部分を切断部３２と称する。また、シール材３０のパターン形状は、液晶注入口部分に切断部３２が設けられているが、さらに、切断部３２の先にシール材３０の幅が切断部３２の幅よりも太い先端部分を有している。説明では、この部分を先端部３３と称することにする。
【００４０】
本願発明者は、湾曲型液晶パネルの製造工程における基板の切断面の微小な傷やクラックなどのダメージを調査研究した結果、とりわけ、液晶注入口部分で分断時に微小な傷やクラックが生じ易いことを発見した。つまり、注入口部分においては、カラーフィルタ基板２０から単個のパネルを切り出す際の切断線と交差する位置にシール材３０が存在する。そのため、ガラスを薄くして可撓性をもたせたカラーフィルタ基板２０を切断する際に、カラーフィルタ基板２０はシール材３０からの影響を受け、パネル端（カラーフィルタ基板２０の切断された端面およびその近辺）に微小な傷やクラックが生じ易いことを発見した。そこで、この対策として、注入口３１において切断線と交差するシール材３０の幅を他の部分よりも細く形成することに想到した。こうすることによる効果を以下説明する。
【００４１】
シール幅と切断不良率の関係をガラス基板の厚さごとに調べたところ、図６に示すような関係が得られた。図６において、カラーフィルタ基板２０の厚みをパラメータとして切断部３２の幅と切断不良率の関係を示す。ここで、切断不良率とは、切断したパネル全数のうち、欠けやクラックが生じて切断以降の工程に移らずに廃棄されたパネルの割合をいう。また、試験したシール材３０の注入口３１での形状は、図７中の（ａ）で模式的に示したように、シール材３０の形状を注入口３１部分で細くして切断部３２とした形状である。なお、切断部３２は、カラーフィルタ基板２０の上に、シール材３０と一体的連続的に塗布された樹脂ペースト４３のパターンである。また、スイッチング素子基板１０あるいはカラーフィルタ基板２０の一方に樹脂ペーストを印刷し、他方の基板を重ねて圧着することでシールパターンを形成しているため、液晶パネルに組み上がったときには、シール材３０の形状は、角部が丸くなるなど図７の形状と若干異なった形状になる。
【００４２】
図６を参照して、例えば、ガラス基板の厚さを０．２ｍｍまで薄型化する場合は、シール幅を０．４ｍｍ以下にすれば切断不良は生じなかったことがわかる。注入口３１において切断線と交差するシール材３０の幅を他の部分よりも細く形成することにより、パネル端に微小な傷やクラックが生じ難くなる。
【００４３】
上述したように、切断部３２の幅を他のシール材３０よりも細く形成することにより、パネル端に微小な傷やクラックが生じ難くなるが、シール材塗布工程としては、これだけでは十分ではない。スクリーン印刷でシール材を塗布形成する場合、線幅が細くなると印刷カスレが生じ、シールパターンが断線するなどの不具合を生じることがある。特に、シールパターンの先端が細い場合に印刷カスレが発生して液晶注入時に不具合が生じやすい。
【００４４】
そこで、この課題を克服するために、液晶注入口において切断線と交差する部分のシール幅を他の部分より細くし、かつ、シール材３０の先端部は基板切断線と交差する領域のシール材の幅よりも太く形成することに想到した。以下、この形状を先端部３３と称し、こうすることによる効果をつぎに説明する。
【００４５】
先端部３３の有無をパラメータとして、切断部３２の幅と印刷カスレ不良発生率の関係を調べた結果を図８に示す。ここで、印刷カスレ不良発生率とは、シールを印刷されたパネル全数のうち、印刷されたシールパターンに断線などが生じて不良品となったパネルの割合をいう。また、先端部３３の形状は、図７中の（ｂ）で模式的に示したように、切断部３２の先端に線幅の太い部分を設けた形状である。なお、先端部３３は、カラーフィルタ基板２０の上の形成された樹脂ペーストのパターンであって、シール材３０および切断部３２と一体的連続的に塗布された樹脂ペースト４３のパターンである。また、スイッチング素子基板１０あるいはカラーフィルタ基板２０の一方に樹脂ペーストを印刷し、他方の基板を重ねて圧着することでシールパターンを形成しているため、液晶パネルに組み上がったときには、シール材３０の形状は、角部が丸くなるなど図７の形状と若干異なった形状になるので付言しておく。
【００４６】
図７に示した２つのシールパターン（パターン（ａ）、パターン（ｂ））を用いて、シール先端幅と印刷カスレ不良発生率との関係を調べたところ、図８に示すような関係が得られた。図７のシールパターン（ａ）に示すように、シール材３０の形状がシール先端まで幅が細いまま（切断部３２のみ）の場合は、切断線と交差するシール幅が０．２〜０．４ｍｍで印刷カスレ不良が生じた。これに対し、シールパターン（ｂ）の場合（切断部３２の先端に先端部３３がある場合）は０．２ｍｍでも印刷カスレ不良が生じなかった。
【００４７】
上述したように、スクリーン印刷でシール材を塗布形成する場合に、シール材３０の切断部３２の先に切断部３２の幅よりも太い先端部３３を設けることにより、切断部３２の幅を他のシール材３０よりも細く形成しても、線幅が細くなることに起因して生ずる印刷カスレを抑制することができる。
【００４８】
なお、シール材３０の切断部３２の幅を０．３ｍｍとし、先端部３３および他の部分のシール材３０の幅を１．０ｍｍとなる形状を基準とし、切断部３２の長さを変えて印刷カスレ不良が生じるか試験した。その結果、切断部３２の長さが０．６ｍｍより短くなるとカスレ不良生じた。長くなる場合は、カスレ不良については問題無いが、長くなりすぎると、マザーガラスからパネル単個に切断する際に端材が大きくなり無駄が生じる。
【００４９】
また、シール材３０の切断部３２の幅よりも太い幅の先端部３３を設けたが、先端部３３の幅は、シール材３０の他の部分（切断部３２を除いた部分）と同じであっても良いし、異なっていても良い。要するに、シール材のパターン形状は、液晶注入口の液晶パネルの外縁方向に延出した部分の一部分（すなわち、切断部３２）の幅が、シール材の先端部３３を含むその他の部分の幅よりも狭い形状となっているものである。
【００５０】
つぎに、シール材塗布工程の後の工程について説明する。
スイッチング素子基板１０またはカラーフィルタ基板２０の一方の面に、トランスファ材の塗布処理を行うトランスファ材塗布工程、スイッチング素子基板１０またはカラーフィルタ基板２０の一方の面に基板間の距離を一定の距離に保持するスペーサを湿式法や乾式法により散布するスペーサ散布工程などが順次行われる。なお、トランスファ材とは、樹脂中に導電性の粒子を混在させたものや、銀ペーストなどの基板間の導通を取るための材料である。これら工程については、例えば、トランスファ材塗布工程は基板を貼り合わせる為のシール材中に導電性の粒子を混在させることにより、シール材の形成工程と兼ねることも可能である。また、スペーサ散布工程はスイッチング素子基板１０またはカラーフィルタ基板２０の一方の面に予め基板間の距離を決定する突起状の柱スペーサを形成しておくことにより、其々省略することも可能である。
【００５１】
以上の様に準備が行われたスイッチング素子基板１０とカラーフィルタ基板２０を互いに対向するよう配置し、四つの液晶パネルが其々対応する様に位置合わせされて貼り合わされる。
【００５２】
そして、貼り合わされたスイッチング素子基板１０とカラーフィルタ基板２０に対して、シール材３０の硬化処理が行われる。この工程は、例えばシールの材質に合わせて熱を加えることや、紫外線を照射することにより行われる。
【００５３】
つぎに、湾曲型液晶パネルを得るために、湾曲加工が容易になる様に、スイッチング素子基板１０及びカラーフィルタ基板２０を削る薄型化研磨工程を行う。この工程は、例えば薬液を用いた化学研磨や研磨材により擦る物理研磨によりガラスでできたこれらの基板表面を削ることにより行われる。本形態においては、薬液を用いた化学研磨により、スイッチング素子基板１０とカラーフィルタ基板２０の厚さをいずれも０．２ｍｍとした。
【００５４】
さらに、セル分断工程において、貼り合わせたこれらの基板を個々の液晶パネル１に対応する個別セルに分断する。
【００５５】
セル分断工程後に、真空中で注入口３１から液晶を注入する液晶注入工程に入る。つづいて、封止工程において、例えば光硬化型樹脂を注入口３１に塗布し、光を照射することにより注入口３１の封止が行われる。
【００５６】
つづいて、偏光板貼り付け工程において、セルに偏光板を貼り付ける。このようにして作製された液晶パネル１は、処理工程などが増加することなく、コスト増加も発生することなく、かつ、シール材３０の印刷カスレによる断線が生じることなく、セル分断工程での微小な傷やクラックが生じ難くなり、ガラス基板を薄型化して可撓性を持たせた湾曲型液晶パネルの破損を防ぐことができる。
【００５７】
さらに、制御基板実装工程において、制御基板２を実装し、バックライト等を組み付け、最後に基板を湾曲する様に変形された状態で筐体内に組み込み保持することによって、湾曲型液晶パネルを実装した液晶表示装置が完成する。
【００５８】
なお、湾曲方向としては、本実施の形態１では表示面側が凸となる様に湾曲させたが、表示面側が凹になる様に湾曲させても良い。さらに、液晶パネルであればよく、必ずしも湾曲していなくとも良い。また、シール材の形状を略矩形状の樹脂のパターンとして説明してきたが、液晶の注入口があれば必ずしも矩形である必要はないし、切断部３２および先端部３３の形状は、直線的でなく曲線的なものであってもよい。
【００５９】
以上をまとめると、
（１）注入口３１において切断線と交差する部分のシール材３０の幅を他の部分よりも細く形成することにより、液晶パネルのパネル端に微小な傷やクラックが生じ難くすることが可能となる。
（２）スクリーン印刷でシール材を塗布形成する場合に、注入口３１においてシール材３０の切断部３２の先に切断部３２の幅よりも太い先端部３３を設けることにより、切断部３２の幅を他のシール材３０よりも細く形成しても、線幅が細くなることに起因して生ずる印刷カスレを抑制することができる。
【００６０】
したがって、このようにして作製された液晶パネル１は、ガラス基板を薄型化して可撓性を持たせた湾曲型液晶パネルの破損を防ぐことができ、しかも余分な処理工程などが増加することなくこのためのコスト増加も発生することもない。そして、この発明に係る液晶パネルの製造方法は、低コストで液晶パネルの破損防止に効果があるので、低コストな液晶表示装置を効率よく生産できる。
【００６１】
なお、上述した実施の形態はすべての点で例示であって制限的なものではないと解されるべきである。本発明の範囲は、上述した実施形態の範囲ではなく、特許請求の範囲によって示され、特許請求の範囲と均等の意味および範囲内でのすべての変更を含むものである。
【符号の説明】
【００６２】
１液晶パネル、２制御基板、１０スイッチング素子基板、１１端子、２０カラーフィルタ基板、２１ＦＦＣ、３０シール材、３１注入口、３２切断部、３３先端部、４０ステージ、４１スクリーン版、４２開口パターン、４３樹脂ペースト、４４スキージ。
【図１】
0005353919.tif 000002
【図２】
0005353919.tif 000003
【図３】
0005353919.tif 000004
【図４】
0005353919.tif 000005
【図５】
0005353919.tif 000006
【図６】
0005353919.tif 000007
【図７】
0005353919.tif 000008
【図８】
0005353919.tif 000009